(57)【要約】      （修正有）【課題】簡単に舗装用パネルを取り除いて地中配設装置の補修ができるようにする舗装路面形成構造を提供する。【解決手段】路盤１上に天然石の下面側に繊維強化セメントを一体化させてある舗装用パネル４を横方向に複数枚並べて敷設してあって、舗装用パネル４の周辺部下面を受けて支持するパネル載置部５を備えた支持台６を複数設け、複数の支持台６を横方向に所定間隔置きに路盤１上に配設し、パネル載置部５夫々に取り外し自在に舗装用パネル４を載置してあり、パネル載置部５には載置して隣接する舗装用パネル４夫々の上面の高さを調整可能なレベル調整部材１０を設けてある。【選択図】図１
2020012349.tif 000002
【特許請求の範囲】
【請求項１】
路盤上に舗装用パネルを横方向に複数枚並べて敷設してある舗装路面形成構造であって、
前記舗装用パネルの周辺部下面を受けて支持するパネル載置部を備えた支持台を複数設け、
複数の前記支持台を横方向に所定間隔置きに路盤上に配設し、
前記パネル載置部夫々に取り外し自在に前記舗装用パネルを載置してある舗装路面形成構造。
【請求項２】
前記パネル載置部を路盤面よりも高い位置に形成して、前記舗装用パネルの下面を路盤よりも設定距離上方に離間させた状態で、
前記舗装用パネルの下面と路盤との間に、地中配設装置の収容空間を形成可能にしてある請求項１記載の舗装路面形成構造。
【請求項３】
前記支持台は、コンクリートを主材とする成形品で、前記パネル載置部には載置して隣接する前記舗装用パネル夫々の上面の高さを調整可能なレベル調整部材を設けてある請求項１または２に記載の舗装路面形成構造。
【請求項４】
前記支持台には、発泡樹脂ブロックまたは硬質中空部材を内蔵して一体化してある請求項３に記載の舗装路面形成構造。
【請求項５】
前記パネル載置部に載置させた前記舗装用パネルの下面に、路盤に対する接地部を形成してある請求項１記載の舗装路面形成構造。
【請求項６】
前記舗装用パネルは、互いに上下に積層可能な複数の分割パネルから構成し、
前記分割パネルの内の最下部の物の下面に前記接地部を形成してある請求項５に記載の舗装路面形成構造。
【請求項７】
上下に積層した前記分割パネル間に、隣接する前記舗装用パネル夫々の上面の高さを調整可能なレベル調整部材を設けてある請求項６記載の舗装路面形成構造。
【請求項８】
前記レベル調整部材は反応硬化性材料から形成してあり、前記レベル調整部材と前記舗装用パネルとの間に離型材を介在させてある請求項３又は７に記載の舗装路面形成構造。
【請求項９】
前記支持台と前記舗装用パネルとの間には、前記舗装用パネルの横方向の位置を固定する固定機構を設けてある請求項１〜８のいずれか１項に記載の舗装路面形成構造。
【請求項１０】
前記地中配設装置は、配管、配線、計器類の中から選択された少なくとも１種である請求項１〜９のいずれか１項に記載の舗装路面形成構造。
【請求項１１】
前記舗装用パネルは、天然石、人工石、ガラス、セラミックタイル、金属板の中から選択された少なくとも１種の下面側に繊維強化セメントを一体化してある請求項１〜１０のいずれか１項に記載の舗装路面形成構造。
【請求項１２】
前記舗装用パネルは、天然石の下面側に前記繊維強化セメントを一体化させてあって、少なくとも前記天然石における前記繊維強化セメントと接する部分を、凹凸面にしてある請求項１〜１０のいずれか１項に記載の舗装路面形成構造。
【請求項１３】
請求項３に記載の舗装路面形成構造を形成するのに、
前記舗装用パネルの周辺部下面を受けて支持するパネル載置部を備えた支持台を、複数個横方向に所定間隔置きに路盤上に配設した後に、
予め前記レベル調整部材を、水密性の袋に流動的な硬化性材料を未硬化の状態で充填して形成しておいて、
前記パネル載置部夫々に、前記レベル調整部材を介して前記舗装用パネルを載置し、
横方向に隣接する前記舗装用パネル夫々の各上面の高さを、前記レベル調整部材による上下厚み調整によって揃え、
前記レベル調整部材を硬化させて舗装路面を形成する舗装路面形成方法。
【請求項１４】
前記硬化性材料は、水を添加した未硬化の無収縮モルタルに砂を混在させたもので、前記無収縮モルタルが未硬化の内に、多数枚の前記舗装用パネル夫々の各上面を下方に押圧しながら隣接するもの同士の各上面の高さ調整を行い、
前記無収縮モルタルの硬化によって、舗装路面を形成する請求項１３に記載の舗装路面形成方法。
【請求項１５】
前記舗装用パネルは、天然石の下側に繊維強化セメントを一体化させて形成するもので、その一体化にあたって、前記繊維強化セメントの硬化前に、前記天然石における前記繊維強化セメントと接する部分を、凹凸面に加工しておく請求項１３又は１４に記載の舗装路面形成方法。
【発明の詳細な説明】
【技術分野】
【０００１】
本発明は、路盤上に舗装用パネルを横方向に複数枚並べて敷設してある舗装路面形成構造及び舗装路面形成方法に関する。
【背景技術】
【０００２】
従来の上記舗装路面は、例えばコンクリートを主材としてブロック状に成形されたインターロッキングブロックやコンクリート製平板ブロックなどの舗装用パネルを、路盤上に砂やセメントモルタルを介して複数枚並べて敷設してある舗装路面形成構造がほとんどである（周知技術である）。
【発明の概要】
【発明が解決しようとする課題】
【０００３】
上述した従来の舗装路面が形成された道路や広場等においては、水道管、下水道管、ガス管等の配管や、電力線、電話線、情報通信ケーブル等の配線や、その他諸計器類等の地中配設装置は、路盤中やそれより更に深い地中に埋設してあり、前記地中配設装置の補修が必要な時は、舗装用パネルを取り除いて路盤の掘削をしなければならない。
しかし、路盤上に敷設された複数枚の前記舗装用パネルを取り除くとなると、モルタルによって相互に接着され、一体化しているために、パネル撤去に必要な部分を円盤状の駆動回転カッターによって切断する作業を行っていた。
そのために、多くの手間と時間が必要で、しかも、舗装路面を復旧させるのにもさらに多くの手間と時間が必要であった。
【０００４】
従って、本発明の目的は、上記問題点を解消し、簡単に舗装用パネルを取り除いて地中配設装置の補修ができるようにするところにある。
【課題を解決するための手段】
【０００５】
本発明の第１の舗装路面形成構造の特徴構成は、路盤上に舗装用パネルを横方向に複数枚並べて敷設してある舗装路面形成構造であって、前記舗装用パネルの周辺部下面を受けて支持するパネル載置部を備えた支持台を複数設け、複数の前記支持台を横方向に所定間隔置きに路盤上に配設し、前記パネル載置部夫々に取り外し自在に前記舗装用パネルを載置してある。
【０００６】
本発明の第１の特徴構成によれば、横方向に所定間隔置きに路盤上に配設された複数の支持台に、舗装用パネルの周辺部下面が支持されていることで、舗装用パネルは安定に設置され、そのために、舗装用パネルの下方には、例えば、水道管、下水道管、ガス管等の配管や、電力線、電話線、情報通信ケーブル等の配線や、その他諸計器類等の地中配設装置を収容させられる収容空間が形成でき、地中配設装置の新設や補修などの施工時には、舗装用パネルをそのパネル載置部から取り外すことで簡単に前記収容空間を露出させることができ、短時間で労力少なく地中配設装置の新設や補修ができる。
【０００７】
本発明の第２の特徴構成は、前記パネル載置部を路盤面よりも高い位置に形成して、前記舗装用パネルの下面を路盤よりも設定距離上方に離間させた状態で、前記舗装用パネルの下面と路盤との間に、地中配設装置の収容空間を形成可能にしたところにある。
【０００８】
本発明の第２の特徴構成によれば、本発明の第１の特徴構成による上述の作用効果を叶えることができるのに加えて、舗装用パネルの下面を路盤よりも設定距離上方に離間させた状態で、パネル載置部に載置してあるために、路盤や路盤より深い地中を掘削しなくても、舗装用パネルの下面と路盤との間に形成可能にしてある収容空間に、短時間で、且つ、簡単に地中配設装置を設置できる。
【０００９】
本発明の第３の特徴構成は、前記支持台は、コンクリートを主材とする成形品で、前記パネル載置部には載置して隣接する前記舗装用パネル夫々の上面の高さを調整可能なレベル調整部材を設けたところにある。
【００１０】
本発明の第３の特徴構成によれば、支持台は、コンクリートを主材とする成形品であるために、安定して舗装用パネルを支持でき、その上で、複数並べて夫々をパネル載置部に載置して支持した複数の舗装用パネルは、隣接する物同士の上面高さをレベル調整部材によって調整できることで、凹凸の少ない舗装路面を形成することができる。
【００１１】
本発明の第４の特徴構成は、前記支持台には、発泡樹脂ブロックまたは硬質中空部材を内蔵して一体化してある。
【００１２】
本発明の第４の特徴構成によれば、発泡樹脂ブロックまたは硬質中空部材を内蔵して一体化した支持台は、強度を落とさずに軽量化できる。
従って、舗装路面の形成に係る労力を低減でき、施工性を向上させることができる。
【００１３】
本発明の第５の特徴構成は、前記パネル載置部に載置させた前記舗装用パネルの下面に、路盤に対する接地部を形成したところにある。
【００１４】
本発明の第５の特徴構成によれば、舗装用パネルの下面に、路盤に対する接地部を形成することで、舗装用パネルの厚みを増して強度を上げても、その強度増大に伴う重量増加を、路盤にも支持させることができ、重量物の走行を許容できる舗装路面を形成しやすくなる。この場合、路盤の一部に収容空間を形成する凹部を設ければ、地中配設装置を収容しても、簡単に舗装用パネルを支持台から取り外して地中配設装置の補修ができる。
【００１５】
本発明の第６の特徴構成は、前記舗装用パネルは、互いに上下に積層可能な複数の分割パネルから構成し、前記分割パネルの内の最下部の物の下面に前記接地部を形成したところにある。
【００１６】
本発明の第６の特徴構成によれば、接地部を形成した舗装用パネルは、互いに上下に積層可能な複数の分割パネルから構成してあるために、舗装用パネル全体の厚み増大化に伴う重量の増加に対しても、分割パネル夫々は軽量になり、施工時の運搬及び施工に対する労力を低減できる。
【００１７】
本発明の第７の特徴構成は、上下に積層した前記分割パネル間に、隣接する前記舗装用パネル夫々の上面の高さを調整可能なレベル調整部材を設けたところにある。
【００１８】
本発明の第７の特徴構成によれば、上下に積層した前記分割パネル間に、レベル調整部材を設けることで、横方向に隣接する舗装用パネル夫々の上面の高さを調整して凹凸の少ない路面を形成できる。
【００１９】
本発明の第８の特徴構成は、前記レベル調整部材は反応硬化性材料から形成してあり、前記レベル調整部材と前記舗装用パネルとの間に離型材を介在させたところにある。
【００２０】
本発明の第８の特徴構成によれば、レベル調整部材は反応硬化性材料から形成してあることで、それらの厚み調整を未反応の内に行うだけで簡単な構造で、横方向に隣接する舗装用パネル夫々の上面の高さを調整して凹凸の少ない路面を形成でき、しかも、レベル調整部材と舗装用パネルとの間に離型材を介在させることで、必要な時に簡単に舗装用パネルを取り外すことができ、舗装路面形成後の地中配設装置のメンテナンスができる。
【００２１】
本発明の第９の特徴構成は、前記支持台と前記舗装用パネルとの間には、前記舗装用パネルの横方向の位置を固定する固定機構を設けたところにある。
【００２２】
本発明の第９の特徴構成によれば、支持台に支持させた舗装用パネルは、固定機構により横方向の位置が固定されることで、舗装路面上に自動車などの走行装置が移動しても横移動することなく長期にわたって舗装路面を維持できる。
【００２３】
本発明の第１０の特徴構成は、前記地中配設装置は、配管、配線、計器類の中から選択された少なくとも１種である。
【００２４】
本発明の第１０の特徴構成によれば、配管、配線、計器類から成る地中配設装置は、簡単に取り外しできる舗装用パネルの存在によって、その下方の収容空間に、新設及び補修を問わず容易に施工できる。
【００２５】
本発明の第１１の特徴構成は、前記舗装用パネルは、天然石、人工石、ガラス、セラミックタイル、金属板の中から選択された少なくとも１種の下面側に繊維強化セメントを一体化したところにある。
【００２６】
本発明の第１１の特徴構成によれば、天然石、人工石、ガラス、セラミックタイル、金属板の中から選択された少なくとも１種の下面側に繊維強化セメントを一体化した舗装用パネルは、薄くて人手によって持ち上げられる軽量なしかも強度のあるものになり、舗装路面の形成に労力少なく、しかも、メンテナンスの低減にも役に立つ。
【００２７】
本発明の第１２の特徴構成は、前記舗装用パネルは、天然石の下面側に前記繊維強化セメントを一体化させてあって、少なくとも前記天然石における繊維強化セメントと接する部分を、凹凸面にしてある。
【００２８】
本発明の第１２の特徴構成によれば、天然石は、繊維強化セメントと強固に一体化するために、大型車両のような重量物が通行する場合でも、剥がれにくくなる。
【００２９】
本発明の第１３の舗装路面形成方法の特徴構成は、請求項３に記載の舗装路面形成構造を形成するのに、前記舗装用パネルの周辺部下面を受けて支持するパネル載置部を備えた支持台を、複数個横方向に所定間隔置きに路盤上に配設した後に、予め前記レベル調整部材を、水密性の袋に流動的な硬化性材料を未硬化の状態で充填して形成しておいて、前記パネル載置部夫々に、前記レベル調整部材を介して前記舗装用パネルを載置し、横方向に隣接する前記舗装用パネル夫々の各上面の高さを、前記レベル調整部材による上下厚み調整によって揃え、前記レベル調整部材を硬化させて舗装路面を形成するところにある。
【００３０】
本発明の第１３の特徴構成によれば、水密性の袋に流動的な硬化性材料を未硬化の状態で充填して形成してあるレベル調整部材による上下厚み調整によって、横方向に隣接する前記舗装用パネル夫々の各上面の高さを揃え、レベル調整部材の硬化によって、簡単に施舗装路面を施工できる。
しかも、レベル調整部材を水密性の袋に流動的な硬化性材料を未硬化の状態で充填するだけの簡単な作業で、パネル載置部への設置ができ、その上舗装用パネルとレベル調整部材とが接着せず、いつでも舗装用パネルを支持台から取り外しできる。
【００３１】
本発明の第１４の特徴構成は、前記硬化性材料は、水を添加した未硬化の無収縮モルタルに砂を混在させたもので、前記無収縮モルタルが未硬化の内に、多数枚の前記舗装用パネル夫々の各上面を下方に押圧しながら隣接するもの同士の各上面の高さ調整を行い、前記無収縮モルタルの硬化によって、舗装路面を形成するものである。
【００３２】
本発明の第１４の特徴構成によれば、水を添加した未硬化の無収縮モルタルに砂を混在した硬化性材料は、安価で簡単に準備でき、硬化後には荷重支持強度もあるために、舗装路面の形成を効率よく行える。
【００３３】
本発明の第１５の特徴構成は、前記舗装用パネルは、天然石の下側に繊維強化セメントを一体化させて形成するもので、その一体化にあたって、前記繊維強化セメントの硬化前に、前記天然石における前記繊維強化セメントと接する部分を、凹凸面に加工しておくところにある。
【００３４】
本発明の第１５の特徴構成によれば、前記繊維強化セメントの硬化前に、前記天然石における前記繊維強化セメントと接する部分を、凹凸面に加工しておくことで、繊維強化セメントの硬化に基づいて、繊維強化セメントによる接着力のみならず、天然石と繊維強化セメントは、前記凹凸面による物理的結合力が作用して、より強固に一体化し、従って、重量物に対する支持強度も向上した路面を形成できる。
【図面の簡単な説明】
【００３５】
【図１】本発明の実施形態１の舗装路面形成構造の縦断面図である。
【図２】要部の組立施工説明縦断面図で、（ａ）は支持台のパネル載置部に舗装用パネルを載置する前の状態、（ｂ）は支持台に舗装用パネルを載置した直後の状態、（ｃ）は舗装用パネルのレベル調整後の状態を示す。
【図３】舗装用パネルを支持台から取り外す状態を示す縦断説明図である。
【図４】ＧＲＣパネルの製法を示す縦断説明図で、（ａ）は型枠内の砂を挿入した状態、（ｂ）は天然石を砂の上に並べた状態、（ｃ）は天然石の上にＧＲＣを供給した状態、（ｄ）は養生後型枠を外す状態、（ｅ）は成形品を取り出した状態を示す。
【図５】舗装用パネルの斜視図で、（ａ）は方形の天然石とＧＲＣとを一体化したパネル、（ｂ）は不定形の天然石とＧＲＣとを一体化した乱貼りのパネルを示す。
【図６】本発明の舗装路面形成構造の縦断面図で、舗装用パネルの下方に軽量支持体を配置した状態を示す。
【図７】実施形態１の舗装路面の平面図である。
【図８】別実施形態の舗装用パネルをその上面に沿って切断した場合の横断面図である。
【図９】実施形態２の舗装路面形成構造の縦断面図である。
【図１０】実施形態２の舗装路面の平面図である。
【図１１】別実施形態の下側の分割パネルの縦断面図を示し、（ａ）は厚みの大きいパネルを示し、（ｂ）は厚みの小さいパネルを示す。
【図１２】繊維強化パネルの製作における別実施形態を示す縦断面図で、（ａ）は厚みの大きなパネルを製作する時を示し、（ｂ）は厚みの小さなパネルを製作する時を示す。
【図１３】天然石とＧＲＣとが一体化した舗装用パネルを示し、（ａ）は平面図、（ｂ）は縦断正面図である。
【発明を実施するための形態】
【００３６】
以下に本発明の実施の形態を図面に基づいて説明する。尚、図面において従来例と同一の符号で表示した部分は、同一又は相当の部分を示している。
【００３７】
〔実施形態１〕
【００３８】
図１〜図３、図７に示すように、路盤１上に、複数の天然石２を並べた状態でそれらの下面側にガラス繊維強化セメント（ＧＲＣ）３を一体化した舗装用パネル４を、横方向に複数枚並べて敷設してある舗装路面形成構造を構成してある。
舗装用パネル４の周辺部下面を受けて支持するパネル載置部５を備えた支持台６を、コンクリートを主材としてある成形品として複数設け、複数の支持台６を横方向に所定間隔置きに路盤１上に配設し、パネル載置部５夫々に取り外し自在に舗装用パネル４を載置して、舗装用パネル４の下方に、水道管、ガス管、下水管等の配管、電気配線、電話線、情報伝達ケーブル等の配線、水道メータ、各種検出器等の計器類等の地中配設装置１６の収容空間７を、形成可能にしてある。
【００３９】
前記支持台６は、コンクリートを主材とする成形品で、その上面には舗装用パネル４の上面に取り付けた天然石２と同様の物を一体に取り付けてあり、載置する舗装用パネル４と天然石２同士がほぼ同じ高さになるように段部８を設けてパネル載置部５を形成してあり、その段部８によって、舗装用パネル４の端部が当たって横移動を阻止され、舗装用パネル４の横方向の位置を固定する固定機構９を構成してある。
そして、パネル載置部５には、載置して隣接する前記舗装用パネル４夫々の上面の高さを調整可能なレベル調整部材１０を、その収容凹部１１に収容した状態で設けてある。
前記レベル調整部材１０は、ゴム製や軟質樹脂製等の水密性の袋１２に、無収縮セメントに砂１５を、体積比で約１：１に混合して水を添加した無収縮モルタル１３を充填して密封したものを準備し、無収縮モルタル１３が未硬化の内に、収容凹部１１に収容させて多数枚の前記舗装用パネル４夫々の各上面を下方に押圧しながら隣接するもの同士の各上面の高さ調整を行い、前記無収縮モルタル１３の硬化によって、レベルの安定した舗装路面を形成する。
【００４０】
次に、舗装用パネル４を使用した舗装路面の形成方法を説明する。
〔舗装路面の形成方法〕
舗装用パネル４の周辺部下面を受けて支持するパネル載置部５を備えた支持台６を、複数個横方向に所定間隔置きに路盤１上に配設した後に、予めレベル調整部材１０を、水密性の袋１２に流動的な硬化性材料を未硬化の状態で充填したものを準備しておいて、パネル載置部５夫々の収容部に収容させ（図２（ａ））、レベル調整部材１０を介して舗装用パネル４をパネル載置部５に載置し（図２（ｂ））、舗装用パネル４を上から押しながら横方向に隣接する舗装用パネル４夫々の各上面の高さを、レベル調整部材１０による上下厚み調整によって揃え（図２（ｃ））、レベル調整部材１０を硬化させて舗装路面を形成する。
【００４１】
前記舗装用パネル４の製法を、図４（ａ）〜図４（ｅ）に示すように、順に説明する。
〔舗装用パネルの製法〕
１.  型枠１４の内側に砂１５を入れ、均等に均す（図４（ａ））。
２.  砂１５の上に天然石２、人工石、セラミックタイル、金属板、等の表面部材となるものを並べる（図４（ｂ））。
３.  未硬化のガラス繊維強化セメント（ＧＲＣ）３又は、コンクリートを打設する（図４（ｃ））。
４.  ＧＲＣ又はコンクリートの硬化養生をする。
５.  型枠１４をばらして硬化物を取り出す（図４（ｄ））。
６.  表面部材とＧＲＣ３又はコンクリートとが一体化した舗装用パネル４の完成（図４（ｅ））。
【００４２】
尚、支持台６は、路盤１がコンクリートの場合、そのコンクリート上に接着剤を介して固定し、路盤１が土の場合は、杭やアンカーボルトで固定する。
また、支持台６は、コンクリート製に代えて、Ｈ鋼などの鋼材を利用した物であっても良い。
また、図６に示すように、舗装用パネル４の下方に形成される収容空間７において、地中配設装置１６を収容した箇所以外の余った空間には、低発泡倍率の発泡樹脂１７Ａなどの軽量支持体１７を配置して、舗装用パネル４からの荷重を受けるように支持補強を行っても良い。この場合、地中配管装置１６を収容する収容空間７は、路盤１に形成した凹部に設けてある。
【００４３】
〔実施形態２〕
図９〜図１１に示すように、大きな荷重がかかる車道等の舗装路面を形成するには、舗装用パネル４の周辺部下面を受けて支持する板金製のパネル載置部５を備えた支持台６を複数設け、複数の支持台６を横方向に所定間隔置きに路盤１上に配設し、パネル載置部５に載置させた舗装用パネル４の下面に、路盤１に対する接地部２０を形成し、路盤１の一部に収容空間７を形成する凹部を設けてある。
前記支持台６と舗装用パネル４との間に、舗装用パネル４の横方向の位置を固定する固定機構９を形成するのに、支持台６に上方に突出する係止ピン２１Ａを一体に設けると共に、その係止ピン２１Ａに係止する係止孔２１Ｂを、舗装用パネル４の４隅部夫々に設けてある。これにより、舗装用パネル４に上から作用する大きな荷重は、接地部２０を介して路盤１に直接伝達されるために、舗装用パネル４に対する曲げ力が作用しにくくなり、舗装用パネル４の補強に伴う重量の増加を抑制できるようになり、施工作業の軽減化が図れる。
【００４４】
図９に示すように、前記舗装用パネル４は、互いに上下に積層可能な複数の分割パネル４Ａ，４Ｂから構成し、分割パネル４Ａの内の最下部の物の下面に接地部２０を形成し、上下に積層した分割パネル４Ａ，４Ｂ間に、隣接する舗装用パネル４夫々の上面の高さを調整可能なレベル調整部材１０を設けてある。
レベル調整部材１０は、前記無収縮モルタル１３のような反応硬化性材料から形成してあり、レベル調整部材１０と舗装用パネル４との間に離型シート等の離型材２２を介在させて反応硬化性材料が舗装用パネル４に接着するのを防止して、支持台６から簡単に舗装用パネル４を取り外しやすくしてある。
尚、接地部を設けた分割パネル４Ａは、図９、図１１（ａ）、（ｂ）に示すように、施工する舗装路面の高さに対応して、厚みの異なる物を準備し、分割パネル４Ａ，４Ｂを２枚以上積み重ねて、舗装路面の上面高さを設定しても良い。
また、舗装用パネル４は、第１実施形態と同様に、ガラス繊維強化セメント（ＧＲＣ）３で形成しても良く、この場合、最上部の分割パネル４Ｂの上面部には、天然石２、人工石、セラミックタイル、金属板、等の表面部材を一体に取り付けたものである。
【００４５】
〔別実施形態〕
以下に他の実施の形態を説明する。
なお、以下の他の実施形態において、上記実施形態と同様の部材には同一の符号を附してある。
〈１〉  前記舗装用パネル４は、コンクリート製の平板ブロック、天然石２から成るパネル、ガラス繊維強化セメント（ＧＲＣ）パネル、天然石２とガラス繊維強化セメント（ＧＲＣ）３とが一体化した石貼りＧＲＣパネル、金属板、人工石、セラミックタイル等、又は、それらを組み合わせたものから成るものでもよい。
〈２〉  舗装用パネル４は、天然石２とＧＲＣ３とが一体化した石貼りＧＲＣパネルに代えて、合成繊維をセメントに混入した繊維強化セメントと天然石とを一体化した繊維強化セメントパネルでもよい。
〈３〉  舗装用パネル４は、ＧＲＣ３と一体化する天然石２その他の装飾用材料は、図５（ａ）に示すように方形の物以外に、図５（ｂ）に示すように不定形の物を貼り付ける乱貼りパネルにデザイン化したものでもよい。
〈４〉  前記支持台６、及び、舗装用パネル４には、その上面に沿って切断した横断面図で示す図８のように、発泡樹脂ブロック以外に、ビンやプラスチック容器などの廃材から成る硬質中空部材２３を内蔵して一体化してあってもよく、それらを内蔵することで、廃材の利用になると共に、強度を低下させずに軽量化が図れる。
〈５〉  レベル調整部材１０は、無収縮モルタル１３の例で示す反応硬化性材料以外に、１液性又は２液性の反応硬化性合成樹脂であっても良く、または、それらの複合材料であっても良い。また、前記無収縮モルタル１３の様な反応硬化性材料から成るもの以外に、機械式に支持高さを調整するジャッキ式の物でもよい。
〈６〉  天然石２とＧＲＣ３等の繊維強化セメントとの一体化や、繊維強化セメントの型成形において、図１２に示すように、厚みの大きなパネルを製造する場合は（図１２（ａ））、型枠に直接砂１５を投入するが、厚みの小さいパネルを製造する場合には（図１２（ｂ））、型枠内の底に木の板や発泡樹脂１７Ａ等の板を敷いて、その上に砂１５を打設し図４の手順に従って製造し、パネルの予定厚さに応じて、型枠内に敷く板の厚みの変更によって調整すればよい。ただし、この場合、投入する繊維強化セメントは、型枠の上縁部いっぱいまで投入すれば簡単にパネルの厚みが決まり、同時に、そのコテならしによって、パネル底面の平面化も簡単にできる。
〈７〉  前記舗装用パネルは、図１３に示すように、天然石２の下面側にＧＲＣ３（ガラス繊維強化セメント）等の前記繊維強化セメントを一体化させてあって、少なくとも天然石２における繊維強化セメントと接する部分（特に周辺部）を、プレスの打ち抜き加工により凹凸面にしてある。これにより、天然石２は繊維強化セメントの硬化後に、ＧＲＣ３等の繊維強化セメントと強固に一体化するために、舗装用パネル全体の強度も向上して、大型車両のような重量物が通行する場合でも、繊維強化セメントから剥がれにくくなる。
〈８〉  図１３に示すような前記繊維強化セメントに一体化させる天然石２の場合、繊維強化セメントから外側に露出する部分は、カッターなどで切断して滑らかで綺麗な端面が外方から見えるように加工し、これに対して、繊維強化セメント中に埋設する天然石２の埋設部分を、繊維強化セメントとの接着力が強化されるように、自然の割肌で凹凸面にしてあっても良い。この場合、天然石２の露出部分は滑らかな面で外観上美しく、繊維強化セメンに埋設する部分は凹凸面になっているために、繊維強化セメントとの結合力（化学的結合力及び物理的結合力）が強くなり、天然石２が繊維強化セメントから剥がれるのを防止できる。しかも、天然石２の表面が凹凸の割肌で外部に露出している場合は、欠けたり、割れたりしやすくなるが、繊維強化セメント中に埋設しているために、天然石２の状態維持にも役立つ。
【００４６】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４７】
１      路盤
２      天然石
４      舗装用パネル
５      パネル載置部
６      支持台
７      収容空間
９      固定機構
１０    レベル調整部材
１２    袋
１３    無収縮モルタル
１４    型枠
１６    地中配設装置
２０    接地部
２２    離型材
２３    硬質中空部材
【図１】
2020012349.tif 000003
【図２】
2020012349.tif 000004
【図３】
2020012349.tif 000005
【図４】
2020012349.tif 000006
【図５】
2020012349.tif 000007
【図６】
2020012349.tif 000008
【図７】
2020012349.tif 000009
【図８】
2020012349.tif 000010
【図９】
2020012349.tif 000011
【図１０】
2020012349.tif 000012
【図１１】
2020012349.tif 000013
【図１２】
2020012349.tif 000014
【図１３】
2020012349.tif 000015